(57)【要約】      （修正有）【課題】電力システムとともに使用するための計算装置を提供する。【解決手段】計算装置１１２は、少なくとも１つの公益事業からエネルギーデータを受信するように構成される通信インターフェース２３０を含み、エネルギーデータは、少なくとも１つのエネルギー量および少なくとも１つのエネルギー価格の少なくとも１つを含む。プロセッサ２１４が、通信インターフェースに結合され、エネルギーデータに基づいて、エネルギーを購入するとの少なくとも１つの申し出を生成するようにプログラムされる。ユーザインターフェース２０４が、プロセッサに結合され、少なくとも１つのエネルギー源の少なくとも１人のオペレータが、エネルギーを購入するとの申し出に応答することによって、公益事業にエネルギーを販売するのを可能にする。【選択図】図２
2013008358.tif 000002
【特許請求の範囲】
【請求項１】
電力システム（１００）とともに使用するための計算装置（１１２）であって、
少なくとも１つの公益事業（１１５）からエネルギーデータを受信するように構成される通信インターフェース（２３０）であって、前記エネルギーデータは、少なくとも１つのエネルギー量および少なくとも１つのエネルギー価格の少なくとも１つを含む、通信インターフェース（２３０）と、
前記通信インターフェースに結合され、前記エネルギーデータに基づいて、エネルギーを購入するとの少なくとも１つの申し出を生成するようにプログラムされるプロセッサ（２１４）と、
前記プロセッサに結合され、少なくとも１つのエネルギー源の少なくとも１人のオペレータが、前記エネルギーを購入するとの少なくとも１つの申し出に応答することによって、前記少なくとも１つの公益事業にエネルギーを販売するのを可能にするように構成されるユーザインターフェース（２０４）とを含む、計算装置（１１２）。
【請求項２】
前記プロセッサ（２１４）は、前記エネルギーデータに基づいて、エネルギーを販売するとの少なくとも１つの申し出を生成するように、さらにプログラムされ、
前記販売するとの少なくとも１つの申し出は、前記少なくとも１人のオペレータが、前記少なくとも１つの公益事業（１１５）からエネルギーを選択的に購入するのを可能にする、請求項１記載の計算装置（１１２）。
【請求項３】
前記プロセッサ（２１４）は、前記少なくとも１人のオペレータが前記エネルギーを販売するとの少なくとも１つの申し出を受け入れるとき、前記少なくとも１人のオペレータがエネルギーを受け取る期間を入力するように、前記少なくとも１人のオペレータに促すようにプログラムされる、請求項２記載の計算装置（１１２）。
【請求項４】
前記プロセッサ（２１４）は、複数のオペレータから前記エネルギーを販売するとの少なくとも１つの申し出に対する応答を受信して、前記オペレータのそれぞれが前記エネルギーを販売するとの少なくとも１つの申し出に対して入札するのを可能にするようにプログラムされる、請求項２記載の計算装置（１１２）。
【請求項５】
前記プロセッサ（２１４）に結合され、前記エネルギーデータを前記少なくとも１人のオペレータに提示して、前記少なくとも１人のオペレータが、いつ前記少なくとも１つの公益事業（１１５）からエネルギーを購入するのか、および、いつ前記少なくとも１つの公益事業にエネルギーを販売するのかの少なくとも１つを特定するのを可能にする上で使用するための提示インターフェース（２０７）をさらに含む、請求項１記載の計算装置（１１２）。
【請求項６】
前記少なくとも１つのエネルギー量は、複数のエネルギー量を含み、
前記プロセッサ（２１４）は、前記複数のエネルギー量の順序付けを行うようにプログラムされる、請求項１記載の計算装置（１１２）。
【請求項７】
前記少なくとも１つのエネルギー価格は、複数のエネルギー価格を含み、
前記プロセッサ（２１４）は、前記複数のエネルギー価格の順序付けを行うようにプログラムされる、請求項１記載の計算装置（１１２）。
【請求項８】
電力システム（１００）であって、
電力網（１０６）にエネルギーを供給するための少なくとも１つのエネルギー源（１０２）と、
前記少なくとも１つのエネルギー源に結合される少なくとも１つの計算装置（１１２）であって、
少なくとも１つの公益事業（１１５）からエネルギーデータを受信するように構成される通信インターフェース（２３０）であって、前記エネルギーデータは、少なくとも１つのエネルギー量および少なくとも１つのエネルギー価格の少なくとも１つを含む、通信インターフェース（２３０）、
前記通信インターフェースに結合され、前記エネルギーデータに基づいて、エネルギーを購入するとの少なくとも１つの申し出を生成するようにプログラムされるプロセッサ（２１４）、および、
前記プロセッサに結合され、少なくとも１つのエネルギー源の少なくとも１人のオペレータが、前記エネルギーを購入するとの少なくとも１つの申し出に応答することによって、前記少なくとも１つの公益事業にエネルギーを販売するのを可能にするように構成されるユーザインターフェース（２０４）を含む、少なくとも１つの計算装置（１１２）とを含む、電力システム（１００）。
【請求項９】
前記少なくとも１つのエネルギー源（１０２）は、エネルギー貯蔵装置およびエネルギー発生装置の少なくとも１つを含む、請求項８記載の電力システム（１００）。
【請求項１０】
前記エネルギー貯蔵装置は、バッテリであり、
前記エネルギー発生装置は、風力タービン、太陽電池パネル、発電機および燃料電池の少なくとも１つである、請求項９記載の電力システム（１００）。
【発明の詳細な説明】
【技術分野】
【０００１】
本発明の分野は、一般に、電力システムに関し、より詳しくは、電力システムとともに使用するための、エネルギーの販売および購入を可能にする計算装置に関する。
【背景技術】
【０００２】
世界人口の増加および電気自動車の使用の増加が合わせて起こることで、電気エネルギー需要の増加が生じている。また、エネルギー需要は、建物、住宅に電力を供給することに、および／または電気自動車中で使用されるバッテリまたは他のエネルギー源を充電することに使用されるので、増加している。電力網に対する需要は、燃料コストが上昇するにつれて、高まってきている。かかる需要は、恐らく、電力網からのエネルギーの価格を上昇させることになる。具体的には、最初に少なくとも、エネルギーの価格が、高需要のピーク時の間、上昇することが起こり得る。
【発明の概要】
【０００３】
現在、少なくともいくつかの知られる公益事業会社は、供給状況に応答して、その顧客によるエネルギー消費量を管理するために、需要反応を使用する。たとえば、少なくともいくつかの知られる公益事業会社は、クリティカル時に、および／または市場価格に応答して、顧客にその消費量を減少させることができる。少なくともいくつかの知られる公益事業会社は、その顧客をよりよく管理する目的で、顧客が、変動する価格をうまく利用するために、その電力使用を選択的に調節することを可能にする時間ベースでの価格付けを行うスマートグリッドの応用を使用することができる。さらに、いくつかの知られる公益事業会社は、たとえば、電子メールおよび／またはテキストメッセージなど、様々な通知方法を使用して、その変動する価格に関する情報を顧客に提供することができる。
【０００４】
さらに、送電系統のオペレーションセンターおよび／または公益事業が、個人が所有する、および／または操作することができる追加のエネルギー源にアクセスするのを可能にする、より再生可能なエネルギーおよび貯蔵のオプションは、一般に、ネットワークを介して、オンラインで利用できる。かかるエネルギー源は、電気自動車のバッテリ、風力タービン、太陽電池パネルおよび／または発電機を含むことができる。しかし、現在、消費者は、交渉する、および／または比較的競争力のある料金で、消費者のエネルギー源からの電力を送電系統または公益事業に戻して販売する能力をほとんど全く有していない。
【０００５】
一実施形態では、電力システムとともに使用するための計算装置がもたらされる。計算装置は、少なくとも１つの公益事業からエネルギーデータを受信するように構成される通信インターフェースを含み、エネルギーデータは、少なくとも１つのエネルギー量および少なくとも１つのエネルギー価格の少なくとも１つを含む。プロセッサが、通信インターフェースに結合され、エネルギーデータに基づいて、エネルギーを購入するとの少なくとも１つの申し出を生成するようにプログラムされる。ユーザインターフェースが、プロセッサに結合され、少なくとも１つのエネルギー源の少なくとも１人のオペレータが、エネルギーを購入するとの申し出に応答して、エネルギーを公益事業に販売するのを可能にするように構成される。
【０００６】
別の実施形態では、電力システムがもたらされる。電力システムは、電力網にエネルギーを供給するように構成される少なくとも１つのエネルギー源と、そのエネルギー源に結合される、少なくとも１つの計算装置とを含む。計算装置は、少なくとも１つの公益事業からエネルギーデータを受信するように構成される通信インターフェースを含み、エネルギーデータは、少なくとも１つのエネルギー量および少なくとも１つのエネルギー価格の少なくとも１つを含む。プロセッサが、通信インターフェースに結合され、そのエネルギーデータに基づいて、エネルギーを購入するとの少なくとも１つの申し出を生成するようにプログラムされる。ユーザインターフェースが、プロセッサに結合され、少なくとも１つのエネルギー源の少なくとも１人のオペレータが、エネルギーを購入するとの申し出に応答して、公益事業エネルギーを公益事業に販売するのを可能にするように構成される。
【０００７】
また別の実施形態では、エネルギーの販売および購入に使用するための方法がもたらされる。この方法は、通信インターフェースを介して、少なくとも１つの公益事業からエネルギーデータを受信するステップを含み、エネルギーデータは、少なくとも１つのエネルギー量および少なくとも１つのエネルギー価格の少なくとも１つを含む。エネルギーを購入するとの少なくとも１つの申し出は、プロセッサを介して生成され、そのエネルギーを購入するとの申し出は、複数のエネルギー価格に基づく。エネルギーを購入するとの申し出に対する少なくとも１つのエネルギー源の少なくとも１人のオペレータからの応答が、ユーザインターフェースを介して受信され、それによって、オペレータは、公益事業エネルギーを公益事業に販売することが可能になる。
【図面の簡単な説明】
【０００８】
【図１】例示の電力システムのブロック図である。
【図２】図１に示す電力システムとともに使用することができる、例示の計算装置のブロック図である。
【発明を実施するための形態】
【０００９】
ここに述べる例示のシステムおよび方法は、エネルギー源のオペレータおよび／または所有者が、交渉する、および／または比較的競争力のある料金で、それら自身のエネルギー源からの電力を送電系統および／または公益事業に戻して販売することを可能にするプラットフォームを設けることによって、知られる電力システムの少なくともいくつかの知られる欠点を克服する。より具体的には、ここに述べる実施形態によって、電力システムとともに使用するための計算装置がもたらされる。計算装置は、少なくとも１つの公益事業からエネルギーデータを受信するように構成される通信インターフェースを含み、エネルギーデータは、少なくとも１つのエネルギー量および少なくとも１つのエネルギー価格の少なくとも１つ含む。プロセッサが、通信インターフェースに結合され、エネルギーデータに基づいて、エネルギーを購入するとの少なくとも１つの申し出を生成するようにプログラムされる。ユーザインターフェースが、プロセッサに結合され、少なくとも１つのエネルギー源の少なくとも１人のオペレータが、エネルギーを購入するとの申し出に応答して、エネルギーを公益事業に販売するのを可能にするように構成される。
【００１０】
図１は、例示の電力システム１００のブロック図である。例示の実施形態では、電力システム１００は、エネルギー源１０２およびエネルギー源１０４など、少なくとも１つのエネルギー源を含み、エネルギー源１０２およびエネルギー源１０４は、それぞれが、電力網１０６に電力を供給するように構成される。エネルギー源１０２は、例示の実施形態では、バッテリなどのエネルギー貯蔵装置である。より具体的には、例示の実施形態では、エネルギー源１０２は、電気自動車１０８内で、またはそれに結合することができるバッテリとすることができる。例示の実施形態では、エネルギー源１０２は、充電式リチウムイオンバッテリである。あるいは、エネルギー源１０２は、他のいずれものリチウム系バッテリ、または電力システム１００が、ここに述べるように機能するのを可能にする、他のいずれものタイプのバッテリとすることができる。エネルギー源１０２は、電気自動車の充電スタンド１０９に結合され、充電スタンド１０９は、電力網１０６に結合される。さらに、エネルギー源１０４は、例示の実施形態では、風力タービン、太陽電池パネルおよび／または燃料電池などのエネルギー発生装置である。エネルギー源１０４は、発電機１１０に結合され、それは、電力網１０６に結合される。あるいは、エネルギー源１０４は、電力網１０６に直接結合することができる。また、エネルギー源１０４は、バッテリ１１１を含むことができ、それは、変換機（図示せず）に、および／またはトランス（図示せず）に結合され、その変換機は、発電機１１０に結合される。あるいは、バッテリ１１１は、変換機に結合することができ、変換機は、電力網１０６に直接結合される。
【００１１】
用語「結合（couple）」は、ここで使用するとき、構成要素間の直接の機械的、電気的および／または通信の接続に限定されず、多数の構成要素間の間接の機械的、電気的および／または通信の接続も含むことができることに留意すべきである。
【００１２】
さらに、用語「電気自動車（electric vehicle）」は、一般に、自動車に推進力をもたらすために使用される１つまたは複数の電気モータ（図示せず）を含む自動車を言うことに留意すべきである。力を発生し、電気自動車を推進するために使用される、電気エネルギーなどのエネルギーは、ただしこれらに限定されないが、搭載される充電式バッテリおよび／または搭載される燃料電池など、様々な源に由来する場合がある。一実施形態では、電気自動車は、ハイブリッド電気自動車であり、それは、ブレーキによって発生されるエネルギーを捕捉して貯蔵する。さらに、ハイブリッド電気自動車は、バッテリなどの電源中に貯蔵されるエネルギーを使用して、燃料を節約するためのアイドリング時に動作を継続する。いくつかのハイブリッド電気自動車は、一般的な電源コンセントなどの電源コンセントに差し込むことによって、バッテリを再充電することが可能である。電気自動車の別の例は、燃料電池の自動車であり、それは、推進のために電気エネルギーだけを使用する。したがって、用語「電気自動車」は、ここで使用するとき、ハイブリッド電気自動車、燃料電池自動車、または電気エネルギーを、電力網１０６などの電力網を介して、それに供給することができる他のいずれもの自動車を言うことができる。
【００１３】
例示の実施形態では、電力システム１００は、少なくとも１つの計算装置１１２を含む。より具体的には、例示の実施形態では、電力システム１００は、２つの計算装置１１２を含み、そして、エネルギー源１０２およびエネルギー源１０４のそれぞれが、１つの計算装置１１２にそれぞれ結合される。あるいは、電力システム１００は、計算装置１１２をいくつでも含むことができ、それによって、システム１００が、ここに述べるように機能するのを可能にする。さらに、例示の実施形態では、エネルギー源１０２は、通信モジュール１１３に結合され、エネルギー源１０４は、通信モジュール１１４に結合される。モジュール１１３および１１４は、エネルギー源１０２およびエネルギー源１０４が、個別に、それらのそれぞれの計算装置１１２と通信するのを可能にする。たとえば、モジュール１１３および１１４は、エネルギー源１０２および１０４が、個別に、エネルギー源１０２および１０４に関する様々な情報をそれぞれの計算装置１１２に送信することを、エネルギー源１０２および１０４のそれぞれ内のエネルギー容量、および／またはエネルギー源１０２および１０４のそれぞれ内に含まれているエネルギー量などをそれぞれの計算装置１１２に送信することを可能にする。
【００１４】
また、各計算装置１１２は、少なくとも１つの公益事業１１５に結合される。例示の実施形態では、各計算装置１１２は、２つの公益事業１１５に結合され、それによって、エネルギー源１０２および／またはエネルギー源１０４のそれぞれの少なくとも１人の所有者および／またはオペレータが、各公益事業１１５と通信することが可能になる。より具体的には、各計算装置１１２は、エネルギー源１０２のオペレータおよび／またはエネルギー源１０４のオペレータが、各公益事業１１５からエネルギーを購入すること、および／またはエネルギー源１０２および／またはエネルギー源１０４からのエネルギーを各公益事業１１５に販売することを可能にする。例示の実施形態では、所有者および／またはオペレータは、個々の所有者および／またはオペレータ、および／または所有者および／またはオペレータの共同グループを含むことができる。
【００１５】
例示の実施形態では、各公益事業１１５は、ネットワーク１１８に接続されて、各公益事業１１５が、各計算装置１１２と通信することを可能にするネットワークインターフェース１１６を含む。例示の実施形態では、各公益事業１１５は、有線のネットワーク接続（たとえば、イーサネット（商標）または光ファイバ）、無線周波数（ＲＦ）、たとえば、ＦＭ無線通信および／またはデジタルオーディオブロードキャスティングなどの無線の通信手段、米国電気電子学会（ＩＥＥＥ（登録商標））８０２．１１規格（たとえば、８０２．１１（ｇ）または８０２．１１（ｎ））、ＷＩＭＡＸ（登録商標）（the World Interoperability for Microwave Access）規格、セル方式携帯電話技術（たとえば、ＧＳＭ（商標）（the Global Standard for Mobile Communication））、衛星通信回線、および／または他の適切な通信手段を使用して、計算装置１１２の少なくとも１つと通信することができる。ＷＩＭＡＸは、オレゴン州ビーバートン（Beaverton, Oregon）のＷｉＭａｘ  Ｆｏｒｕｍの登録商標である。ＩＥＥＥは、ニューヨーク州ニューヨークの米国電気電子学会（the Institute of Electrical and Electronics Engineers, Inc.）の登録商標である。例示の実施形態では、たとえば、各公益事業１１５は、少なくとも１つのエネルギー量（watts）および／または少なくとも１つのエネルギー価格などのエネルギーデータを各計算装置１１２に送信するように構成することができ、各エネルギー価格は、たとえばエネルギー源１０２および／またはエネルギー源１０４などのエネルギー源の時間範囲、期間、エネルギー量および／または動作範囲など、いくつかの制限事項と関連付けることができる。また、いくつかの制限事項は、天候条件、供給停止または送電系統容量などの送電系統ステータスを含むことができる。あるいは、公益事業１１５は、電力システム１００が、ここに述べるように機能するのを可能にする他のいずれもの情報を各計算装置１１２に送信するように構成することができる。
【００１６】
エネルギー源１０２および／またはエネルギー源１０４などのエネルギー源のオペレータは、操作の間、エネルギー源１０２およびエネルギー源１０４のそれぞれを電力網１０６に結合する。たとえば、エネルギー源１０２のオペレータは、エネルギー源１０２を充電スタンド１０９に結合して、エネルギー源１０２を電力網１０６に結合することができる。同様に、エネルギー源１０４のオペレータは、エネルギー源１０４および／またはバッテリ１１１を発電機１１０に、および／または電力網１０６に結合して、エネルギー源１０４を電力網１０６に結合することができる。電力網１０６に結合されたエネルギー源１０２を表す信号が、エネルギー源１０２から個別の計算装置１１２に、通信モジュール１１３を介して送信される。同様に、電力網１０６に結合されたエネルギー源１０４を表す信号が、エネルギー源１０４から個別の計算装置１１２に、通信モジュール１１４を介して送信される。次いで、各計算装置１１２は、各オペレータに、たとえば複数のエネルギー価格および／またはエネルギー量などのエネルギーデータを各公益事業１１５から受信するように適宜促すことができる。かかる情報の受信を選択したオペレータは、エネルギーデータの受信を承認し、計算装置１１２は、そのオペレータにエネルギーデータを提示する。オペレータは、エネルギーデータを受信することによって、いつ各公益事業１１５からエネルギーを購入するのか、および／または、いつ各公益事業１１５にエネルギーを販売するのかを特定することができる。
【００１７】
例示の実施形態では、各オペレータは、各公益事業１１５にエネルギーを販売することを選び、その情報を個別の計算装置１１２に入力する。各計算装置１１２は、信号を各公益事業１１５に送信する。エネルギー源１０２からのエネルギーは、充電スタンド１０９に、および電力網１０６に送られる。同様に、エネルギー源１０４からのエネルギーは、発電機１１０に、および電力網１０６に送られる。電力網１０６に供給される、この追加のエネルギーは、後で、各公益事業１１５が他に販売することができる。あるいは、エネルギー源１０２のオペレータなどのオペレータは、各公益事業１１５から個別の計算装置１１２を介して、エネルギーを購入することを決定することができる。そのような場合、電力網１０６からのエネルギーは、エネルギー源１０２および／またはエネルギー源１０４に送ることができる。
【００１８】
図２は、電力システム１００（図１に示す）とともに使用される１つの計算装置１１２のブロック図である。例示の実施形態では、計算装置１１２は、エネルギー源１０２（図１に示す）およびエネルギー源１０４（図１に示す）などのエネルギー源のオペレータおよび／または所有者などのユーザから、少なくとも１つの入力を受信するユーザインターフェース２０４を含む。例示の実施形態では、ユーザインターフェース２０４は、ユーザが関連情報を入力するのを可能にするキーボード２０６を含む。あるいは、ユーザインターフェース２０４は、たとえばポインティングデバイス、マウス、タッチペン、タッチパネル（たとえば、タッチパッドまたはタッチスクリーン）、ジャイロスコープ、加速度計、位置検出器、および／またはオーディオ入力インターフェース（たとえば、マイクロフォンを含む）を含むことができる。
【００１９】
さらに、例示の実施形態では、計算装置１１２は、入力イベントおよび／または検証結果などの情報をユーザに提示する提示インターフェース２０７を含む。例示の実施形態では、提示インターフェース２０７は、少なくとも１つの表示装置２１０に結合される表示アダプタ２０８を含む。より具体的には、例示の実施形態では、表示装置２１０は、ブラウン管（ＣＲＴ）、液晶ディスプレイ（ＬＣＤ）、有機ＬＥＤ（ＯＬＥＤ）ディスプレイおよび／または”電子インク”ディスプレイなどの画像表示装置である。あるいは、提示インターフェース２０７は、オーディオ出力装置（たとえば、オーディオアダプタおよび／またはスピーカ）および／またはプリンタを含むことができる。
【００２０】
また、計算装置１１２は、プロセッサ２１４およびメモリ装置２１８を含む。例示の実施形態では、プロセッサ２１４は、ユーザインターフェース２０４、提示インターフェース２０７、およびメモリ装置２１８にシステムバス２２０を介して結合される。例示の実施形態では、プロセッサ２１４は、提示インターフェース２０７を介してユーザを促すことによって、および／またはユーザインターフェース２０４を介してユーザ入力を受信することによってなどで、ユーザと通信する。さらに、例示の実施形態では、プロセッサ２１４は、１つまたは複数の実行可能なインストラクションを使用して動作をコード化し、その実行可能なインストラクションをメモリ装置２１８中に設けることによって、プログラムされる。たとえば、プロセッサは、エネルギー源１０２および／またはエネルギー源１０４などのエネルギー源のオペレータからエネルギーを購入するとの少なくとも１つの申し出を生成するようにプログラムされる。エネルギーを購入するとの申し出は、計算装置１１２が各公益事業１１５（図１に示す）から受信するエネルギーデータに基づく。プロセッサ２１４は、エネルギー源１０２および／またはエネルギー源１０４のオペレータにエネルギーを販売するとの少なくとも１つの申し出を生成するように、さらにプログラムされる。また、エネルギーを販売するとの申し出は、公益事業１１５から受信されるエネルギーデータに基づく。
【００２１】
例示の実施形態では、また、プロセッサ２１４は、エネルギーデータを階層的に編集するようにプログラムすることができる。例示の実施形態では、プロセッサ２１４は、各公益事業１１５から受信する複数のエネルギー価格および／または複数のエネルギー量を階層的に編集するようにプログラムすることができる。たとえば、プロセッサ２１４は、複数のエネルギー価格のなかのもっとも高いエネルギー価格を階層内の第１の層中に編集し、複数のエネルギー価格のなかのもっとも低いエネルギー価格を階層内の最後の層中に編集するようにプログラムすることができる。同様に、プロセッサ２１４は、もっとも多いエネルギー量を階層内の第１の層中に編集し、もっとも少ないエネルギー量を階層内の最後の層中に編集するようにプログラムすることができる。あるいは、プロセッサ２１４は、プロセッサにプログラムすることができる、いずれもの基準を使用して、エネルギーデータを編集するようにプログラムすることができる。かかる基準は、たとえば、オペレータが定めることができる。
【００２２】
用語「プロセッサ（processor）」は、一般に、システムおよびマイクロコントローラを含む、いずれものプログラム可能なシステム、縮小命令セット回路（ＲＩＳＣ）、特定用途向け集積回路（ＡＳＩＣ）、プログラマブルロジック回路（ＰＬＣ）、およびここに述べる機能を実行するのが可能な他のいずれもの回路またはプロセッサを言う。上記の例は、例示するだけであり、したがって、用語「プロセッサ」の定義および／または意味を限定する意図は決してない。
【００２３】
例示の実施形態では、メモリ装置２１８は、実行可能なインストラクションおよび／または他のデータなどの情報を格納し回収することを可能にする１つまたは複数の装置を含む。さらに、例示の実施形態では、メモリ装置２１８は、限定せず、ダイナミックランダムアクセスメモリ（ＤＲＡＭ）、スタティックランダムアクセスメモリ（ＳＲＡＭ）、半導体ディスクおよび／またはハードディスクなど、１つまたは複数のコンピュータ可読媒体を含む。例示の実施形態では、メモリ装置２１８は、限定せず、アプリケーションソースコード、アプリケーションオブジェクトコード、構成データ、追加の入力イベント、アプリケーション状態、アサーションステートメント、検証結果および／または他のいずれものタイプのデータを格納する。より具体的には、例示の実施形態では、メモリ装置２１８は、オペレータがユーザインターフェース２０４を介して受信する入力データ、および／または公益事業１１５からなど、電力システム１００の他の構成要素から受信する情報を格納する。
【００２４】
また、計算装置１１２は、例示の実施形態では、プロセッサ２１４にシステムバス２２０を介して結合される通信インターフェース２３０を含む。さらに、例示の実施形態では、通信インターフェース２３０は、ネットワーク１１８（図１に示す）を介して、公益事業１１５に通信可能に結合され、通信モジュール１１３（図１に示す）および通信モジュール１１４（図１に示す）に通信可能に結合される。例示の実施形態では、通信インターフェース２３０は、公益事業１１５、エネルギー源１０２、エネルギー源１０４および／または電力システム１００内の他の構成要素と通信することができる。
【００２５】
エネルギー源１０２および／またはエネルギー源１０４などのエネルギー源のオペレータは、操作の間、エネルギー源１０２およびエネルギー源１０４のそれぞれを電力網１０６に結合する。たとえば、エネルギー源１０２のオペレータは、エネルギー源１０２を充電スタンド１０９に結合して、エネルギー源１０２を電力網１０６に結合することができる。同様に、エネルギー源１０４のオペレータは、エネルギー源１０４および／またはバッテリ１１１を発電機１１０に、および／または電力網１０６に結合して、エネルギー源１０４を電力網１０６に結合することができる。
【００２６】
電力網１０６に結合されたエネルギー源１０２を表す信号が、エネルギー源１０２から個別の計算装置１１２に通信モジュール１１３を介して送信される。同様に、電力網１０６に結合されたエネルギー源１０４を表す信号が、エネルギー源１０４から個別の計算装置１１２に通信モジュール１１４を介して送信される。各計算装置１１２中の通信インターフェース２３０は、その信号を受信し、その信号は、各計算装置１１２中のプロセッサ２１４に送信される。次いで、各計算装置１１２中の提示インターフェース２０７が、各オペレータに、各公益事業１１５からエネルギーデータを適宜受信するように促す。例示の実施形態では、各オペレータは、エネルギーデータを受信するために、各計算装置１１２中のユーザインターフェース２０４を介した入力を備える。
【００２７】
次いで、プロセッサ２１４は、各公益事業１１５から情報を回収するために、信号を通信インターフェース２３０に送信する。各公益事業１１５は、エネルギーデータを各計算装置１１２にネットワーク１１８を介して送信する。通信インターフェース２３０がその情報を受信したとき、エネルギーデータは、プロセッサ２１４に送信される。例示の実施形態では、プロセッサ２１４は、エネルギーデータの順序付けを行う。たとえば、プロセッサ２１４は、各公益事業１１５から受信する複数のエネルギー価格および／または複数のエネルギー量を階層的に編集することができる。また、プロセッサ２１４は、複数のエネルギー価格のなかのもっとも高いエネルギー価格を階層内の第１の層中に編集し、複数のエネルギー価格のなかのもっとも低いエネルギー価格を階層内の最後の層中に編集することができる。
【００２８】
計算装置１１２は、エネルギーデータを各オペレータに、各計算装置１１２のための提示インターフェース２０７を介して提示する。各オペレータは、エネルギーデータを各公益事業１１５から受信することによって、いつ各公益事業１１５からエネルギーを購入するのか、および、いつ各公益事業１１５にエネルギーを販売するのかを特定するのが可能になる。たとえば、各オペレータは、エネルギー価格が低い時間範囲、およびエネルギー価格が高い時間範囲を識別することができる。さらに、オペレータは、エネルギー価格が高い時間範囲の間に公益事業１１５にエネルギーを販売し、エネルギー価格が低いときに公益事業１１５からエネルギーを購入することを望んでもよい。
【００２９】
各オペレータにエネルギーデータが提示されたとき、各計算装置１１２中のプロセッサ２１４は、各オペレータからエネルギーを購入するとの少なくとも１つの申し出を生成する、および／またはエネルギーを各公益事業１１５に販売するとの少なくとも１つの申し出を生成する。次いで、計算装置１１２は、エネルギーを購入するとの申し出、および／またはエネルギーを販売するとの申し出を、提示インターフェース２０７を介して各オペレータに提示する。例示の実施形態では、各オペレータは、エネルギーを購入するとの申し出を受け入れる応答を入力し、それによって各公益事業１１５が、各オペレータからエネルギーを購入することが可能になる。計算装置１１２は、各オペレータの応答を表す信号を各公益事業１１５に送信して、その受理を各公益事業１１５に通知する。
【００３０】
あるいは、また、各オペレータは、各オペレータに提示される各公益事業１１５のエネルギーデータに基づいて、１つの公益事業１１５だけにエネルギーを販売すると入力することができる。たとえば、１つの公益事業１１５に関するエネルギーデータ中のエネルギー価格が、別の公益事業１１５に関するエネルギーデータ中のエネルギー価格より高い場合、オペレータは、エネルギー価格がより高い、その公益事業１１５だけに販売することを決定することができる。オペレータによるそのような選択は、計算装置１１２から各公益事業１１５に送信することができる。各公益事業１１５がオペレータの選択を受信したとき、たとえば価格が低いために選択されなかった公益事業１１５は、その価格を上げる用意がある場合、新しい価格を計算装置１１２に送信することができる。次いで、計算装置１１２は、新しい価格を各オペレータに提示して、オペレータが、ユーザインターフェース２０４を介する入力によって、その選択を変更するのを可能にする。
【００３１】
例示の実施形態では、各オペレータが各公益事業１１５にエネルギーを販売しているという入力がなされたとき、次いで、通信モジュール１１３は、エネルギー源１０２に含まれるエネルギー量を個別の計算装置１１２に送信する。同様に、通信モジュール１１４は、エネルギー源１０４内に含まれるエネルギー量、および／またはエネルギー源１０４の製造レベルまたは連続的な供給レベルを個別の計算装置１１２に送信する。計算装置１１２がエネルギー源１０２および１０４のそれぞれ中のエネルギー量を受信したとき、計算装置１１２は、提示インターフェース２０７を介して、各オペレータに、エネルギー源１０２およびエネルギー源１０４のそれぞれから電力網１０６にエネルギーを送ることになる期間を提供するように促す。あるいは、計算装置１１２は、各オペレータに、エネルギー源１０２および１０４のそれぞれから電力網１０６に送ることになるエネルギー量を提供するように促すことができる。次いで、各オペレータは、ユーザインターフェース２０４を介して、たとえば、エネルギー源１０２およびエネルギー源１０４のそれぞれからエネルギーを送ることになる期間を入力する。次いで、エネルギーは、エネルギー源１０２および１０４から電力網１０６に送られる。
【００３２】
さらに、例示の実施形態では、各オペレータに、エネルギーを購入するとの申し出および／またはエネルギーを販売するとの申し出が提示されたとき、各オペレータは、エネルギーを販売するとの申し出を受け入れる応答を入力することができ、それによって各公益事業１１５が、各オペレータにエネルギーを販売することが可能になる。たとえば、エネルギー源１０２のオペレータは、エネルギーを販売するとの申し出を受け入れる応答を入力することができる。例示の実施形態では、オペレータは、もっとも価格が低い公益事業１１５からエネルギーを選択し、購入することができる。あるいは、オペレータは、もっともエネルギー量が多い公益事業１１５からエネルギーを選択し、購入することができる。
【００３３】
さらに、例示の実施形態では、オペレータが最善の料金、および／またはオペレータが公益事業１１５の１つからエネルギーを購入するために定める、他のいずれかのパラメータを選んだとき、計算装置１１２は、提示インターフェース２０７を介して、たとえば、各エネルギー源１０２が電力網１０６からエネルギーを受け取ることになる期間を提供するように、オペレータに促すことになる。あるいは、計算装置１１２は、電力網１０６からエネルギー源１０２に送られることになるエネルギー量を提供するように、オペレータに促すことができる。次いで、オペレータは、ユーザインターフェース２０４を介して、エネルギーが電力網１０６からエネルギー源１０２に送られることになる期間を入力する。次いで、エネルギーは、電力網１０６からエネルギー源１０２に送られる。
【００３４】
ここに述べた例示の装置、システムおよび方法は、公益事業と消費者の間で通信を可能にするために使用される、知られる装置、システムおよび方法と比べると、エネルギー源のオペレータおよび／または所有者のためのプラットフォームによって、交渉し、比較的競争力のある料金で、そのエネルギー源から送電系統または公益事業に電力を戻して販売することが容易になる。より具体的には、ここに述べた実施形態によって、電力システムとともに使用するための計算装置がもたらされる。計算装置は、少なくとも１つの公益事業からエネルギーデータを受信するように構成される通信インターフェースを含み、エネルギーデータは、少なくとも１つのエネルギー量および少なくとも１つのエネルギー価格の少なくとも１つを含む。プロセッサが、通信インターフェースに結合され、エネルギーデータに基づいて、エネルギーを購入するとの少なくとも１つの申し出を生成するようにプログラムされる。ユーザインターフェースが、プロセッサに結合され、少なくとも１つのエネルギー源の少なくとも１人のオペレータが、エネルギーを購入するとの申し出に応答することによって、公益事業にエネルギーを販売するのを可能にするように構成される。
【００３５】
装置、システムおよび方法の例示の実施形態を上記に詳細に述べている。装置、システムおよび方法は、ここに述べた具体的な実施形態に限定されず、むしろ、装置、システムの構成要素、および／または方法のステップは、ここに述べた他の構成要素および／またはステップと独立に、別々に利用することができる。たとえば、また、システムは、他の装置、システムおよび方法と組み合わせて使用することができ、ここに述べたようなシステムだけを用いる実施に限定されない。むしろ、例示の実施形態は、他の多数の応用に関連して実施し利用することができる。
【００３６】
本発明の様々な実施形態の具体的な特徴が、いくつかの図面に示され、他に示されていない場合があるが、これは、便宜上だけである。本発明の原理によって、図面のいずれもの特徴は、他のいずれもの図面のいずれもの特徴と組み合わせて参照する、および／または請求することができる。
【００３７】
この書面による明細は、最良の形態を含む、実施例を使用して、本発明を開示し、また、いずれもの当業者が、いずれもの装置またはシステムを製造し使用し、およびいずれもの組み込まれた方法を実施することを含め、本発明を実施するのを可能にする。本発明の特許性のある範囲は、特許請求の範囲によって定義され、当業者が思い付く他の実施例を含むことができる。そのような他の実施例は、それらが、本特許請求の範囲の文字通りの意味と違わない構造要素を有する場合、または、それらが、本特許請求の範囲の文字通りの意味との差が実体のない、同等の構造要素を含む場合、本特許請求の範囲に含まれると意図される。
【符号の説明】
【００３８】
１００  電力システム
１０２  エネルギー源
１０４  エネルギー源
１０６  電力網
１０８  電気自動車
１０９  充電スタンド
１１０  発電機
１１１  バッテリ
１１２  計算装置
１１３  通信モジュール
１１４  通信モジュール
１１５  公益事業
１１６  ネットワークインターフェース
１１８  ネットワーク
２０４  ユーザインターフェース
２０６  キーボード
２０７  提示インターフェース
２０８  表示アダプタ
２１０  表示装置
２１４  プロセッサ
２１８  メモリ装置
２２０  システムバス
２３０  通信インターフェース
【図１】
2013008358.tif 000003
【図２】
2013008358.tif 000004
【外国語明細書】
2013008358000001.pdf